(57)【要約】【課題】  被浄化空気を送り込むためのダクトを少なくし、または無くすことができ、送風のための大きなファンを必要とせず、騒音を抑えることができる壁面緑化大気浄化装置を提供する。【解決手段】  壁面緑化大気浄化装置１は、片面に植物３０が植えられる植物生育基盤２と、この植物生育基盤２の他の片面に沿う通気層３を形成した通気層形成部材４とを有する。植物生育基盤２と通気層３との間にメッシュ材５を介在させる。植物生育基盤２内に両面間に貫通して、貫通方向の通気抵抗が植物生育基盤２の他の部分よりも小さい高通気性土壌部２ｂを設ける。高通気性土壌部２ｂは、仕切材２１ａで外周が仕切られて植物生育基盤材Ｂが充填されたものである。【選択図】        図１
2014187977.tif 000002
【特許請求の範囲】
【請求項１】
片面に植物が植えられる植物生育基盤と、この植物生育基盤の他の片面に沿う通気層を形成した通気層形成部材とを有し、前記植物生育基盤と前記通気層との間に通気性部材を
介在させ、前記植物生育基盤内に両面間に貫通して、貫通方向の通気抵抗が前記植物生育基盤の他の部分よりも小さい高通気性土壌部を設け、この高通気性土壌部は、仕切材で外周が仕切られて植物生育基盤材が充填されたものである壁面緑化大気浄化装置。
【請求項２】
請求項１に記載の壁面緑化大気浄化装置において、前記高通気性土壌部に、前記植物生育基盤の前記他の部分を構成する植物生育基盤材よりも粒径の粗い植物生育基盤材を用いた壁面緑化大気浄化装置。
【請求項３】
請求項１または請求項２に記載の壁面緑化大気浄化装置において、前記仕切材は、通気性を有するが前記植物生育基盤の前記他の部分を構成する前記植物生育基盤材が通過不能な材質である壁面緑化大気浄化装置。
【請求項４】
請求項１ないし請求項３のいずれか１項に記載の壁面緑化大気浄化装置において、前記高通気性土壌部を、前記植物生育基盤内の複数箇所に設けた壁面緑化大気浄化装置。
【請求項５】
請求項１ないし請求項４のいずれか１項に記載の壁面緑化大気浄化装置において、前記高通気性土壌部は、管状の前記仕切材とこの仕切材の両端を閉じる通気性の端面材とでなる袋状体の中に前記植物生育基盤材を充填した通気ユニットからなる壁面緑化大気浄化装置。
【請求項６】
請求項１ないし請求項５のいずれか１項に記載の壁面緑化大気浄化装置において、前記植物生育基盤および通気層に渡って外周を囲む外周フレームを設け、前記通気層形成部材は、前記外周フレームにおける前記通気層の厚さの部分と、前記外周フレームの前記植物生育基盤と反対側の開口部分を覆う裏面板とでなる薄箱状とした壁面緑化大気浄化装置。
【請求項７】
請求項１ないし請求項６のいずれか１項に記載の壁面緑化大気浄化装置において、前記通気層形成部材に、隣合う壁面緑化大気浄化装置の前記通気層と連通させる連通口を設けた壁面緑化大気浄化装置。
【請求項８】
請求項１ないし請求項７のいずれか１項に記載の壁面緑化大気浄化装置において、前記通気層内に被浄化空気を送り込むファンを設けた壁面緑化大気浄化装置。
【請求項９】
請求項１ないし請求項７のいずれか１項に記載の壁面緑化大気浄化装置を、互いに端面で接して複数並べて設け、複数の前記壁面緑化大気浄化装置の前記通気層へ被浄化空気を送り込むファンを設けた壁面緑化大気浄化システム。
【発明の詳細な説明】
【技術分野】
【０００１】
この発明は、壁面を緑化する機能と大気を清浄化する機能とを備えた壁面緑化大気浄化装置、およびこれを用いたシステムに関する。
【背景技術】
【０００２】
壁面緑化大気浄化装置は、立面となる壁面で緑化および大気の清浄化を行うため、広い床面積を取らずに効率良く緑化および大気の清浄化を行える利点がある。従来、この種の壁面緑化大気浄化装置では、前面側に植物が植えられる複数の箱を互いに隣合うように配置することで壁面緑化を図り、ファンによって吸引される被浄化空気を、ダクトを介して前記各箱の背面へ送り込む構成とされている。送り込まれた被浄化空気は、各箱内を満たす土壌層等の植物生育基盤を通過することで浄化される。
【先行技術文献】
【特許文献】
【０００３】
【特許文献１】特許第５００１１４８号公報
【発明の概要】
【発明が解決しようとする課題】
【０００４】
上記した従来例の構成では、以下のような問題点がある。
・緑化部となる各箱に被浄化空気を送り込むために多数のダクトが必要となる。
・ダクトから排出される被浄化空気を箱内に均等に押し込むために、箱の背面側に分散用の背面パネル等が別途必要である。
・ダクトが箱から露出していて経年劣化し、ダクトのメンテナンスが必要になる。
・ダクトの配管スペースが緑化部となる箱よりも大きくなる場合があり、壁面に密接して設置できない。
【０００５】
また、被浄化空気の送風に関して以下のような問題点がある。
（１）被浄化空気が土壌等の植物生育基盤を通過するときの圧力損失が大きいため、送風のために大きなファンが必要である。
（２）大きなファンを使用することで、騒音が大きくなる恐れがある。
（３）被浄化空気を植物生育基盤の全体に送り込む必要があるため、被浄化空気の汚染物質濃度が低くても、大送風量のファンが必要である。
（４）経年により植物生育基盤の土壌等が目減りして上部に空間ができると、上部から被浄化空気が抜ける。
（５）前面全体から風が出るので、設置場所を考慮する必要がある。
【０００６】
この発明の目的は、被浄化空気を送り込むためのダクトを少なくし、または無くすことができ、送風のための大きなファンを必要とせず、騒音を抑えることができる壁面緑化大気浄化装置、およびこれを用いたシステムを提供することである。
【課題を解決するための手段】
【０００７】
この発明の壁面緑化大気浄化装置は、片面に植物が植えられる植物生育基盤と、この植物生育基盤の他の片面に沿う通気層を形成した通気層形成部材とを有し、前記植物生育基盤と前記通気層との間に通気性部材を介在させ、前記植物生育基盤内に両面間に貫通して、貫通方向の通気抵抗が前記植物生育基盤の他の部分よりも小さい高通気性土壌部を設け、この高通気性土壌部は、仕切材で外周が仕切られて植物生育基盤材が充填されたものである。
【０００８】
この構成によると、植物生育基盤に沿った通気層を形成する通気層形成部材を設け、通気層と植物生育基盤とを通気性部材で仕切ったため、被浄化空気を送り込むためのダクトを少なくし、または無くすことができる。前記通気層内で被浄化空気が植物生育基盤の背面全体に拡散するため、背面側に分散用の別部材のパネル等を設けることも不要となる。通気層は植物生育基盤の背面の全体に渡って設けられるため、薄くても十分な通気が可能であり、通気層を設けても、壁面緑化大気浄化装置の全体の厚さが、あまり厚くならない。このように通気層が薄くでき、またダクトの配管スペースを背面に大きく取ることが不要なため、壁面から大きく突出せずに設置することができる。通気層への被浄化空気の送りを、通気層の端面に連通させたダクトから行うようにするか、またはこの壁面緑化大気浄化装置内に装備したファンから通気層へ直接に送るようにした場合は、壁面に密着してこの壁面緑化大気浄化装置を設置でき、壁面からの突出幅をより一層小さくできる。
【０００９】
また、植物生育基盤内に両面間に貫通して、貫通方向の通気抵抗が他の部分よりも小さい高通気性土壌部を設けたことにより、以下の点が改善される。
（１）植物生育基盤を通過するときの被浄化空気の圧力損失を抑えることができ、ファンの小型化が可能となる。
（２）小型のファンを使用することで、騒音を抑えられる。
（３）高通気性土壌部の配置箇所およびその数を任意に設定することができるため、壁面緑化大気浄化装置の設置場所における大気の汚染物質濃度、換気量等に応じて、最適のファンを選ぶことができる。
（４）高通気性土壌部の配置箇所により風の出る箇所が予め決まるため、植物生育基盤の上部に空間ができても、そこから被浄化空気が抜けることがない。
（５）高通気性土壌部の配置箇所を適宜設定することで、風の出る箇所を任意に設定できるので、出る風が人に影響を与えずに壁面緑化大気浄化装置を設置しやすい。
【００１０】
この発明において、前記高通気性土壌部に、前記植物生育基盤の前記他の部分を構成する植物生育基盤材よりも粒径の粗い植物生育基盤材を用いても良い。
これにより、高通気性土壌部を植物の生育に活用しつつ、高通気性土壌部を植物生育基盤の他の部分よりも通気抵抗を小さくすることができる。
【００１１】
この発明において、前記仕切材は、通気性を有するが前記植物生育基盤の前記他の部分を構成する前記植物生育基盤材が通過不能な材質としても良い。
仕切材を上記材質とすることで、高通気性土壌部の周囲の植物生育基盤材が高空気性土壌部に入り込むことを防止できる。
【００１２】
この発明において、前記高通気性土壌部を、前記植物生育基盤内の複数箇所に設けても良い。
壁面緑化大気浄化装置の設置場所に応じて、高通気性土壌部を任意の複数箇所に設けることができる。
【００１３】
この発明において、前記高通気性土壌部は、管状の前記仕切材とこの仕切材の両端を閉じる通気性の端面材とでなる袋状体の中に前記植物生育基盤材を充填した通気ユニットからなるものであっても良い。
この場合、植物生育基盤内に高通気性土壌部を容易に設けることができる。
【００１４】
この発明において、前記植物生育基盤および通気層に渡って外周を囲む外周フレームを設け、前記通気層形成部材は、前記外周フレームにおける前記通気層の厚さの部分と、前記外周フレームの前記植物生育基盤と反対側の開口部分を覆う裏面板とでなる薄箱状としても良い。
通気層形成部材を薄箱状とすることで、コンパクトで、かつ複雑にダクトが並ぶことのない整然とした形状となる。
【００１５】
この発明において、前記通気層形成部材に、隣合う壁面緑化大気浄化装置の前記通気層と連通させる連通口を設けても良い。
この連通口を設けることで、複数の壁面緑化大気浄化装置を、ダクトを用いずに前記連通口で連通させることができる。このため、広い面積に渡って壁面緑化大気浄化装置を配置する場合に、隣合う壁面緑化大気浄化装置を互いに接して配置でき、その場合にも壁面緑化大気浄化装置の背面等に装置の相互間を接続するダクトが不要となる。
【００１６】
この発明において、前記通気層内に被浄化空気を送り込むファンを設けても良い。
この構成の場合、ファンによって吸引された被浄化空気は通気層内に直接に送り込まれるので、ダクトは全く不要となる。
【００１７】
この発明の壁面緑化大気浄化システムは、この発明の壁面緑化大気浄化装置を、互いに端面で接して複数並べて設け、複数の前記壁面緑化大気浄化装置の前記通気層へ被浄化空気を送り込むファンを設けたものである。
この構成によると、複数の壁面緑化大気浄化装置が並ぶことで、より広い壁面緑化が行え、また大気浄化の能力が増大する。壁面緑化大気浄化装置を複数並べても、各壁面緑化大気浄化装置が植物生育基盤の背面に沿う通気層を有しているため、被浄化空気を植物生育基盤へ送り込むためのダクトを少なくし、または無くすことができる。
【発明の効果】
【００１８】
この発明の壁面緑化大気浄化装置は、片面に植物が植えられる植物生育基盤と、この植物生育基盤の他の片面に沿う通気層を形成した通気層形成部材とを有し、前記植物生育基盤と前記通気層との間に通気性部材を介在させ、前記植物生育基盤内に両面間に貫通して、貫通方向の通気抵抗が前記植物生育基盤の他の部分よりも小さい高通気性土壌部を設け、この高通気性土壌部は、仕切材で外周が仕切られて植物生育基盤材が充填されたものであるため、被浄化空気を送り込むためのダクトを少なくし、または無くすことができ、送風のための大きなファンを必要とせず、騒音を抑えることができる。
【００１９】
この発明の壁面緑化大気浄化システムは、この発明の壁面緑化大気浄化装置を、互いに端面で接して複数並べて設け、複数の前記壁面緑化大気浄化装置の前記通気層へ被浄化空気を送り込むファンを設けたため、より広い壁面緑化が行え、大気浄化の能力も増大する。また、ダクトを少なくし、または無くすことができ、壁面に対して大きく突出せずに設置できる。
【図面の簡単な説明】
【００２０】
【図１】この発明の第１の実施形態にかかる壁面緑化大気浄化装置の縦断面図である。
【図２】同壁面緑化大気浄化装置の壁面への取付状態を示す縦断面図である。
【図３】同壁面緑化大気浄化装置の植物生育基盤材を除いた状態を示す縦断面図である。
【図４】同通気ユニットの斜視図である。
【図５】同壁面緑化大気浄化装置における外周フレームに対する通気ユニットの取付構造の一例を示す斜視図である。
【図６】外周フレームに対する通気ユニットの取付構造の異なる例を示す斜視図である。
【図７】外周フレームに対する通気ユニットの取付構造のさらに異なる例を示す斜視図である。
【図８】同壁面緑化大気浄化装置を複数並べて構成した壁面緑化大気浄化システムの一例を示す縦断面図である。
【図９】壁面緑化大気浄化システムの他の例を示す正面図である。
【図１０】この発明の他の実施形態にかかる壁面緑化大気浄化装置の縦断面図である。
【図１１】（Ａ）はこの発明のさらに他の実施形態にかかる壁面緑化大気浄化装置の縦断面図、（Ｂ）はその正面図である。
【図１２】（Ａ）はこの発明のさらに他の実施形態にかかる壁面緑化大気浄化装置の縦断面図、（Ｂ）はその正面図である。
【図１３】（Ａ）はこの発明のさらに他の実施形態にかかる壁面緑化大気浄化装置の縦断面図、（Ｂ）はその正面図である。
【図１４】（Ａ）はこの発明のさらに他の実施形態にかかる壁面緑化大気浄化装置の縦断面図、（Ｂ）はその部分拡大図である。
【発明を実施するための形態】
【００２１】
この発明の第１の実施形態を図１ないし図７と共に説明する。この壁面緑化大気浄化装置１は、図１に縦断面図で示すように、片面に植物３０が植えられる土壌層等の植物生育基盤２と、この植物生育基盤２の他の片面に沿う通気層３を形成した通気層形成部材４とを有する壁パネル状である。植物生育基盤２の前記片面側が緑化部分となる。植物生育基盤２と通気層３との間には通気性部材の一種であるメッシュ材５が介在させられる。植物生育基盤２の植物３０が植えられる片面も、別のメッシュ材１５で覆われる。
【００２２】
植物生育基盤２は、この植物生育基盤２の大半の部分を占め、両面間を貫通する複数の貫通孔６を有する植物生育土壌部２ａと、前記各貫通孔６内に設けられた高通気性土壌部２ｂとからなる。前記植物生育土壌部２ａが、植物３０が植えられる実質上の植物生育基盤２となる。前記メッシュ材５，１５は、例えばメッキ加工したワイヤーを縦横に編んだワイヤーメッシュ等からなり、植物生育基盤２のうちの植物生育土壌部２ａの表面のみを覆う穴あき形状とされている。
【００２３】
植物生育用土壌部２ａの植物生育基盤材Ａとしては、例えば軽量土壌が用いられる。具体的には、自然土壌の他に、バーク堆肥、ピートモス、ココイアダスト等の有機物系土壌改良材、或いはパーライト、バーミキューライト等の無機系土壌改良材等の様々な一般に流通する資材を適宜組み合わせて用いても良い。また、通気性を有するスポンジ状やフェルト状材であっても良い。この他、セラミック等を用いても良い。
【００２４】
高通気性土壌部２ｂの植物生育基盤材Ｂとしては、植物生育用土壌部２ａの植物生育基盤材Ａよりも粒径が粗いもの、例えばパーライト等の土壌基材が用いられる。そのため、高通気性土壌部２ｂの方が植物生育用土壌部２ａよりも、貫通孔６の長さ方向の通気抵抗が小さい。
【００２５】
植物生育基盤２および通気層３に渡る外周は、方形の外周フレーム７で囲まれる。前記通気層形成部材４は、外周フレーム７における通気層３の厚さの部分７ａと、外周フレーム７の植物生育基盤２とは反対側の開口部分を覆う裏面板８とでなる薄箱状とされている。通気層３は、装置外に設置されるファン９とダクト１０を介して連通させられる。図示の例では、ダクト１０が通気層３の裏面に連結されているが、通気層３の側端面や上下面等に連通させても良い。
【００２６】
この壁面緑化大気浄化装置１の大きさの一例を説明する。図３は植物生育基盤材Ａ，Ｂを除いた状態を示す。全体の厚さ（奥行き）Ｄは、２００mm、通気層３の厚さｄは５０mmであり、高さＨは、２２５０mmである。幅（図示せず）は、例えば、建物のモジュールの１／２の整数倍であり、４４５mm〜１８２０mmである。なお、この寸法例は一例であり、任意に設計すれば良い。
【００２７】
植物生育基盤２の前記高通気性土壌部２ｂには、例えば図４に示す通気ユニット２０が用いられる。通気ユニット２０は、管状の仕切材２１ａとこの仕切材２１ａの両端を閉じる前面側および背面側の端面材２１ｂ，２１ｃとでなるメッシュ材製の袋状体２１の内部に植物生育基盤材Ｂ（図示せず）を充填したものである。図の例では、袋状体２１の外形が円柱状であるが、角柱状またはそれ以外の形状であっても良い。また、通気ユニット２０のサイズは、外形が円柱状である場合、直径Ｅが９０mm、長さＬが１５０mm程度とするが、この限りではない。
【００２８】
仕切材２１ａは、通水性は必要であるが、通気性は必ずしも必要ではなく、あれば好ましい。端面材２１ｂ，２１ｃは、通気性に優れていることが好ましい。仕切材２１ａおよび端面材２１ｂ，２１ｃの材質は、例えば樹脂製、植物系天然素材製、金属製等とされる。
【００２９】
前記仕切材２１ａの目の粗さは、周囲の植物生育基盤材Ａが袋状体２１内に入り込まない程度とする。ただし、植物生育用土壌部２ａに植えられた植物３０の根が、高通気性土壌部２ｂへ伸長することまで制限しなくて良い。また、前記端面材２１ｂ，２１ｃの目の粗さは、内部の植物生育基盤材Ｂが外部に漏れ出ず、かつ風が通り抜けるのを妨げない程度とする。具体的には、充填される植物生育基盤材Ｂの粒径が比較的粗い（５mm以上）場合、仕切材２１ａの目の粗さは１〜２mm程度とし、端面材２１ｂ，２１ｃの目の粗さは３mm程度とする。
【００３０】
この通気ユニット２０を用いると、植物生育基盤２内に高通気性土壌部２ｂを容易に設けることができる。例えば、図５に示すように、仕切材２１ａの直径よりも前面側の端面材２１ｂの直径を大きくしておくことで、前面側のメッシュ材１５に設けられた穴１５ａに前面側から通気ユニット２０を差し込むことにより、前記前面側の端面材２１ｂの外周縁部２１ｂａがメッシュ材１５に係合して、通気ユニット２０がメッシュ材１５に固定される。
【００３１】
また、図６に示すように、植物生育基盤２の内部に、両端が外周フレーム７に支持された支え板２２を設け、この支え板２２で通気ユニット２０を支えるようにしても良い。支え板２２は、根の伸長を妨げないメッシュ状であるのが望ましい。図７に示すように、支え板２２の代わりに、複数本の支え棒２３で通気ユニット２０を支えるようにしても良い。
【００３２】
高通気性土壌部２ｂには、植栽を行っても行なわなくても良い。植栽を行う場合、乾燥、排水の良い土壌を好む植物を植えるのが望ましい。植栽を行わない場合、外から見て高通気性土壌部２ｂが目立たないようにするには、植物生育土壌部２ａにおける高通気性土壌部２ｂの周囲に、茎や葉が伸長しやすい植物３０を植えると良い。
【００３３】
この壁面緑化大気浄化装置１は、例えば図２に縦断面図で示すように、植物生育基盤２の植物３０が植えられた片面側が前面となるように、建物の壁面３１に沿って配置され、支持部材３２を介して壁面３１に取付けられる。このように取付けることで、植物生育基盤２の片面に植えられる植物３０により壁面３１の緑化が図られる。また、ファン９（図１）を作動させることで、装置外の被浄化空気がファン９により吸引されダクト１０を経て通気層３内で送り込まれる。送り込まれた空気は、植物生育基盤２を通過することで浄化される。植物生育基盤２に高通気性土壌部２ｂを設けたことにより、高通気性土壌部２ｂが設けられていない場合と比べて、送り込まれる空気の風量を増やすことができるため、より多くの大気を浄化することができる。
【００３４】
この構成の壁面緑化大気浄化装置１によると、このように、片面に植物３０が植えられた植物生育基盤２と、この植物生育基盤２の他の片面に沿う通気層３を形成する通気層形成部材４とを有する壁パネル状であり、植物生育基盤２と通気層３との間にメッシュ材５を介在させたため、通気層３を１本のダクト１０で装置外のファン９に連通させるだけで、ファン９によって吸引される被浄化空気を通気層３内に導入し、これを植物生育基盤２の全域に行き渡らせることができる。これにより、被浄化空気を送り込むためのダクト１０を最小限にできることから、ダクト１０の配管スペースを極力少なくでき、建物の壁面３１に略接して壁面緑化大気浄化装置１を設置でき、またダクト１０のメンテナンスも殆ど必要なくなる。ダクト１０をこの壁面緑化大気浄化装置１の側端面で通気層３と連通するようにした場合は、背面を建物の壁面３１に密接させて設置することも可能となる。
【００３５】
また、植物生育基盤２内に両面間に貫通して、植物生育土壌部２ａよりも通気抵抗が小さい高通気性土壌部２ｂを設けたことにより、植物生育基盤２を通過するときの被浄化空気の圧力損失を抑えることができる。これにより、ファン９の小型化が可能となる。小型のファン９を使用することで、騒音も抑えられる。高通気性土壌部２ｂの配置箇所およびその数を任意に設定することができるため、壁面緑化大気浄化装置１の設置場所における大気の汚染物質濃度、換気量等に応じて、最適のファン９を選ぶことができる。
【００３６】
高通気性土壌部２ｂの配置箇所により風の出る箇所が予め決まるため、植物生育基盤材Ａの目減り等により植物生育基盤２の上部に空間ができても、そこから被浄化空気が抜けることがない。浄化された空気の多くは、高通気性土壌部２ｂの箇所から外に出る。そのため、風の出る箇所を任意に設定することができ、出る風が人に影響を与えずに壁面緑化大気浄化装置１を設置しやすい。
【００３７】
さらに、高通気性土壌部２ｂは排水性も良いので、植物生育基盤２の排水に役立つ。特に、高通気性土壌部２ｂを植物生育基盤２の下部に配置すると、排水効果がより一層高い。植物生育基盤２の排水が促進されることで静圧が下がるため、壁面緑化大気浄化装置１の構成材料である外周フレーム７等の強度を下げることができる。これにより、軽量化、省コスト化が図れる。
【００３８】
図８は、この発明の他の実施形態の縦断面図を示す。この実施形態では、前記壁面緑化大気浄化装置１を、互いに端面で接するように複数並べて設けることで、壁面緑化大気浄化システム１１を構成している。ここでは、２つの壁面緑化大気浄化装置１を縦に並べて設けている。上下の壁面緑化大気浄化装置１，１が互いに接する端面となる各外周フレーム７には、互いの通気層３を連通させる連通口１２が設けられる。装置外に設置されるファン９は、１本のダクト１０を介して一方の壁面緑化大気浄化装置１（ここでは上側の壁面緑化大気浄化装置１）の通気層３に連通されている。これにより、ファン９の吸引した被浄化空気はダクト１０から一方の壁面緑化大気浄化装置１の通気層３内へ、さらには前記連通口１２を経て他方の壁面緑化大気浄化装置１の通気層３内へと送り込まれる。各壁面緑化大気浄化装置１による作用効果は、図１に示した実施形態の場合と同様である。
【００３９】
このように、壁面緑化大気浄化システム１１を構成することにより、同一規格の壁面緑化大気浄化装置１を複数並べることで、１つの壁面緑化大気浄化装置１が担う壁面面積の数倍の壁面の緑化と大気浄化とが可能となる。
【００４０】
図９は、この発明のさらに他の実施形態の正面図を示す。この実施形態では、植物生育基盤２の植物生育土壌部２ａを縦横の区画内土壌支持材２４で９つの区画に区分した１つの壁面緑化大気浄化装置１と、植物生育土壌部２ａを区画内土壌支持材２４で３つの区画に区分した他の１つの壁面緑化大気浄化装置１とを横並びに設置している。各区画のそれぞれに１箇所ずつ高通気性土壌部２ｂが設けられている。個々の壁面緑化大気浄化装置１では、各区画は裏面の通気層３（図９には図示せず）で連通している。前記区画内土壌支持材２４は、例えばメッシュ材からなる。この区画内土壌支持材２４を介在させることにより、植物生育土壌部２ａの植物生育基盤材Ａを、植物生育土壌部２ａの占有空間に偏りなく均等に分散させることができる。
【００４１】
２つの壁面緑化大気浄化装置１，１は、互いの隣接面に図８の例と同様な連通口１２（図９には図示せず）が設けられているが、その境界が縦長の仕切板１３で仕切られることで、通気層３が互いに遮断されている。この場合、各壁面緑化大気浄化装置１ごとの通気層３が、個別のダクト１０（図９には図示せず）を介して装置外のファン９（図９には図示せず）に連通させてある。各壁面緑化大気浄化装置１では、それらの通気層３を経て植物生育基盤２の全区画に被浄化空気が行き渡る。各壁面緑化大気浄化装置１による作用効果は、図１に示した実施形態の場合と同様である。
【００４２】
この実施形態においても、隣合う２つの壁面緑化大気浄化装置１，１の通気層３を、図８の実施形態のように連通口１２で連通させることで、１つの壁面緑化大気浄化システム１１を構成しても良い。このように、通気層３を連続させることで、上下左右のどちらにも通気させることができ、また仕切板１３によって制限することもできる。
【００４３】
図１０は、この発明のさらに他の実施形態の縦断面図を示す。この実施形態では、図１に示す壁面緑化大気浄化装置１において、植物生育基盤２の区画内土壌支持材２４で複数に分けられた区画のうち、一部の区画を土壌の充填されない空区画１４としたものである。空区画１４でない各区画のそれぞれに１箇所ずつ高通気性土壌部２ｂが設けられている。空区画１４における通気層３との仕切材となるメッシュ材５の部分には密閉板１６が設けられ、これにより通気層３内に導入された被浄化空気がメッシュ材５から空区画１４を経て外部に漏れないようにされる。このように、植物生育基盤２となる区画の一部を空区画１４とすることにより、緑化部の一部を非緑化部とすることができ、例えば緑化部と非緑化部の組み合わせにより、所望のモザイク模様の施された緑化壁面とすることができる。  なお、空区画１４内の上端付近に位置して、区画内土壌支持材２４の下面に対向する水受け（図示せず）を設けても良い。
【００４４】
図１１（Ａ），（Ｂ）は、この発明のさらに他の実施形態の縦断面図および正面図を示す。この実施形態では、図１に示す壁面緑化大気浄化装置１において、植物生育基盤２となる複数区画のうちの一部の区画を図１０の実施形態のように空区画１４とし、通気層３内に被浄化空気を送り込むファン９を前記空区画１４内に設けている。この空区画１４内には、ファン９の他に、このファン９を制御する電源制御盤１７が設けられる。また、ここでは、植物生育基盤２の上下の区画のうち、下側の区画がファン９および電源制御盤１７の設置される空区間１４とされているので、灌水した水が植物生育基盤２を通って空区画１４に滴下してくるのを受ける水受け部１８が空区画１４の上部側に設けられている。
【００４５】
この実施形態の場合、ファン９によって吸引された被浄化空気は通気層３内に直接送り込まれるので、図１の実施形態のようなダクト１０は全く不要となる。その他の作用効果は、図１の実施形態の場合と同様である。
【００４６】
図１２（Ａ），（Ｂ）は、この発明のさらに他の実施形態の縦断面図および正面図を示す。この実施形態では、図１１に示す壁面緑化大気浄化装置１において、区画内土壌支持材２４で複数に分けられる植物生育基盤２の区画が、上下に４段、左右の３段の合計１２区画とされ、それらの区画のうち最下段の３つの区画がそれぞれファン９を設けた空区画１４とされている。各空区画１４内のファン９は、それぞれその上に縦に並ぶ３区画分の植物生育基盤２に対応する通気層３内に被浄化空気を送り込むようにされる。すなわち、植物生育基盤２に沿って設けられる通気層３は、縦に並ぶ３区画分を１つのエリアとして３つのエリアに仕切板（図示せず）等で区分けされている。
【００４７】
なお、通気層３の厚み寸法を５０ｍｍとすると、通気層３は、１つのファン９に対して１０ｍ2 程度までの緑化面積（植物生育基盤２の面積）を負担できるので、上記した縦に並ぶ３区画の合計面積が１０ｍ2 程度であれば十分に対応できる。すなわち、ファン９の規模によって任意の緑化面積を負担できるので、その任意の緑化面積以内であれば対応できる。各空区画１４のうち中央の空区画１４には、３つのファン９の全てを制御する電源制御盤１７が設けられる。また、各空区画１４の上部側には水受け部１８がそれぞれ設けられる。その他の構成および作用効果は、図１１の実施形態の場合と同様である。
【００４８】
図１３（Ａ），（Ｂ）は、この発明のさらに他の実施形態の縦断面図および正面図を示す。この実施形態では、図１２に示す壁面緑化大気浄化装置１において、区画内土壌支持材２４で複数に分けられる植物生育基盤２の区画が、上下に３段、左右に３段の合計９区画とされ、それらの区画のうち中央の１区画がファン９を設けた空区画１４とされている。空区画１４内のファン９は、周囲に並ぶ８区画分の植物生育基盤２に対応する通気層３内に被浄化空気を送り込むようにされる。同じ空区画１４内には、ファン９を制御する電源制御盤１７と、水受け部１８とが設けられる。その他の構成および作用効果は、図１１の実施形態の場合と同様である。
【００４９】
上記各実施形態では、植物生育基盤２の前面をメッシュ材１５で覆う構成としたが、図１４（Ａ）に示すように、植物生育基盤２の前面を壁面緑化前面パネル２６で覆っても良い。壁面緑化前面パネル２６は、植物３０が出る植栽用の穴が予め開けられたものであっても良く、または同図（Ｂ）のように、外周の一部に切れ目を入れることにより形成された突片２６ａを、外周のうちの切れ目の入っていない箇所で折り曲げることで、植物３０が出る穴２６ｂを開けるものであっても良い。壁面緑化前面パネル２６を設けた場合、通気ユニット２０の壁面緑化前面パネル２６への取り付けは、壁面緑化前面パネル２６の予め開けられた前記植栽用の穴に通気ユニット２０を嵌めこんで取り付けてもよく、また通気ユニット２０の取り付け用の穴を開けて取り付けても良い。図１４（Ａ）は、図１に示す実施形態のメッシュ材１５を壁面緑化前面パネル２６に代えた例であるが、他の実施形態についても、同様にメッシュ材１５を壁面緑化前面パネル２６に代えることができる。
【符号の説明】
【００５０】
１…壁面緑化大気浄化装置
２…植物生育基盤
２ａ…植物生育土壌部
２ｂ…高通気性土壌部
３…通気層
４…通気層形成部材
５…メッシュ材（通気性部材）
６…貫通孔
７…外周フレーム
８…裏面板
９…ファン
１０…ダクト
１１…壁面緑化大気浄化システム
１２…連通口
２０…通気ユニット
２１…袋状体
２１ａ…仕切材
２１ｂ，２１ｃ…端面材
Ａ，Ｂ…植物生育基盤材
【図１】
2014187977.tif 000003
【図２】
2014187977.tif 000004
【図３】
2014187977.tif 000005
【図４】
2014187977.tif 000006
【図５】
2014187977.tif 000007
【図６】
2014187977.tif 000008
【図７】
2014187977.tif 000009
【図８】
2014187977.tif 000010
【図９】
2014187977.tif 000011
【図１０】
2014187977.tif 000012
【図１１】
2014187977.tif 000013
【図１２】
2014187977.tif 000014
【図１３】
2014187977.tif 000015
【図１４】
2014187977.tif 000016